(57)【要約】      （修正有）【課題】身体のバランス感がとれ、安定感が得られると共に、負荷を軽減させ、剣道を上達させることができる素振り棒を提供する。【解決手段】柄４の部分となる短身パイプ１０を刀身２の部分となる長身パイプ９の内孔に嵌め込み連結した素振り棒１であり、この嵌め込みの割合に応じて、重心の位置を棒全体の中心点よりも柄の部分に寄せた構成からなる。【選択図】図１
0003191173.tif 000002
【実用新案登録請求の範囲】
【請求項１】
短身パイプを長身パイプの内孔に嵌め込み連結した、刀身の部分となる長身パイプと柄の部分となる短身パイプからなり、また、この嵌め込みの割合の調節に応じて、全体の中心点よりも柄の部分に寄せて重心の位置を定めた、素振り棒。
【請求項２】
個人の特性に応じて重心を定めるために、柄の部分と刀身の部分との間に着脱できる鍔、また、柄の部分の先端となる柄頭の螺子穴に捩じ込んだ着脱できるアイボルトを特徴とした、請求項１の素振り棒。
【請求項３】
素振りの動作を容易にするために、刀身の部分の先端を丸く形成した剣先、また、プライマー塗装による耐水・耐油処理をした表面を特徴とした、請求項１の素振り棒。
【考案の詳細な説明】
【技術分野】
【０００１】  この考案は、剣道の稽古に用いる素振り棒に関する。
【背景技術】
【０００２】  剣道の稽古は、剣道形の練習でも、剣道試合に備えた練習でも、打ち込みを基本とする。打ち込みの練習をするためには、素振りが必要である。素振りをするためには、木刀・竹刀等の素振り棒が用いられている。【０００３】  素振り棒をみると、従来、いろいろのものがある。一般的には、直線の棒状の形態を有するものである。これには、竹刀のように軽量のものもあるし、木刀・鉄棒のように全体あるいは刀身部分に重量をもたせるものもある。【０００４】  軽量のものは、腕力に頼らず、刃筋を意識した素振りとなるが、物足りなさを感ずるのに対し、重量のあるものは、筋力を鍛えることになるが、技術の向上にはならないし、また、振りすぎると、筋肉を痛めることにもなる。【０００５】  そうすると、素振り棒は、素振りにあたり、刃筋を意識させるとともに、筋力を鍛えて、剣道を上達させものであり、また、人体的にも支障のないように、負荷を軽減するものであることを要する。【０００６】  そこで、丸い柄と刀身を先に行くほど太くて重い刀身からなる素振棒が工夫されている。これは、従来のものと異なり、剣道技術を向上させるという。しかし、素振り棒全体の重心の位置を適度の場所に置いているのかという疑問が残る。
【考案の開示】
【考案が解決しようとする課題】
【０００７】  この考案が解決しようする問題点は、次の通りである。【０００８】  先ず、剣道の打込みを練習するためには、素振り棒をもって素振りをすればよい。素振り棒は、従来のものよりも、剣道を上達させ、また、人体的にも支障のないものであることが必要である。【０００９】  次に、素振り棒は、軽量のものでも、全体あるいは刀身部分のみに重量をもたせるものでも、素振り棒全体の適当な位置に重心を置いていないので、それぞれ、筋力の増強と技術の向上において、一長一短がある。【００１０】  最後に、素振り棒は、柄の部分と刀身の部分を含めた全体の中心点よりも柄の部分に寄せて重心の位置を置くことによって、バランス感や安定感をもたらし、また、素振りをしても負担を感じなくなることである。
【課題を解決するための手段】
【００１１】  この考案が解決する手段は、次の通りである。【００１２】  短身パイプ（１０）を長身パイプ（１１）の内孔に嵌め込み、刀身（２）の部分となる長身パイプ（１１）と柄（４）の部分となる短身パイプ（１０）を連結し、また、この嵌め込みの割合を調節することによって、全体の中心点よりも柄（４）の部分に寄せて重心の位置を定めた素振り棒（１）である。【００１３】  次に、柄（４）の部分と刀身（２）の部分の間に鍔（８）を設置しあるいは取り外し、また、柄（４）の部分の先端にあたる柄頭（５）を螺子孔とし、これにアイボルト（１）を捩じ込みあるいは取り外して、個人の特性に応じて、重心の位置を決定できる素振り棒（１）である。【００１４】  柄（４）の部分や刀身（２）の部分を含む全体の表面をプライマー塗装による耐水処理をし、また、刀身（２）の部分の先端となる剣先（３）を丸く形成することによって、素振りの動作を容易にする素振り棒（１）である。
【考案を実施するための形態】
【００１５】  この考案の実施の形態は、次の通りである。
【００１６】  図１及び図２に示すように、刀身（２）の部分となる長身パイプ（９）に柄（４）の部分となる短身パイプ（１０）を嵌め込み、また、この嵌め込む割合を調節して、柄（４）の部分に寄せて重心の位置を定めた素振り棒（１）である。
【００１７】  図１及び図２に示すように、刀身（２）の部分と柄（４）の部分の間に鍔（８）を設置し、また、刀身（２）の部分の先端となる剣先（３）を丸く形成し、かつ、柄（４）の部分の先端となる柄頭（５）の鍵穴とアイボルト（１１）を有する素振り棒（１）である。
【考案の効果】
【００１８】  この考案の効果は、次の通りである。
【００１９】  先ず、この素振り棒（１）は、棒の先端ではなく手元の側に重心の位置を置くことになるので、素振りをするとき、バランス感によって、身体のバランス感がとれるので、安定感も得られる。
【００２０】  次に、この素振り棒（１）は、棒の先端ではなく手元の側に重心の位置を置くことになるので、素振りをするときの負荷を軽減させることができ、従って、人間工学及び空力の観点からも、人体的にも支障のないものである。
【００２１】  最後に、この素振り棒を試合前に数回、少なくとも１０回振ることによって、竹刀を振ったときの負荷がなくなり、スピードのある打突ができる。
【図面の簡単な説明】
【００２２】
【図１】  この考案に係る素振り棒（１）を構成する刀身（２）の部分と柄（４）の部分を示す図面である。
【図２】  この考案に係る素振り棒（１）を構成する部分を示す図面である。
【符号の説明】
【００２３】      １  素振り棒
２  刀身
３  剣先
４  柄
５  柄頭
６  プレート
７  ナット
８  鍔
９  長身パイプ
１０  短身パイプ
１１  アイボルト
【実施例】
【００２４】  この考案の実施例は、次の通りである。【００２５】  この考案は、剣道の打込みの稽古をするために素振りに使用する素振り棒（１）である。【００２６】  素振り棒（１）は、スチール・パイプを素材として、長身のパイプ（９）の内孔に短身パイプ（１０）を嵌め込み、長身パイプ（９）と短身パイプ（１０）を連結したものである。長身パイプ（９）は刀身（２）の部分を構成し、また、短身パイプ（１０）は柄（４）の部分を構成する。【００２７】  素振り棒（１）は、柄（４）の部分と刀身（２）の部分を合わせた全体の中心点よりも柄（４）の部分に寄せて重心の位置を決定する。これによって、剣道修行者は、素振り棒のバランス感によって身体のバランスがとれるので、安定した素振りができる。【００２８】  先ず、素振り棒（１）は、竹刀を標準とし、全長１００．５ｃｍとする。そうすると、素振り棒（１）を必要とする剣道修行者の経験、例えば、年代や熟練度に対応して、長身パイプ（９）に短身パイプ（１０）を嵌め込む割合を調節すれば適度な位置に重心を決定できる。【００２９】  本考案は、小学生から中学生までの剣道修行者を対象として、素振り棒（１）の重心の位置を決定したものを実施例とする。長身パイプ（９）は、長さを６９．５ｃｍ、内径を３４πとし、短身パイプ（１０）は、長さを４０．１ｃｍ、内径を２７．２πとする。【００３０】  次に、小学生から中学生までの剣道修行者の経験を集積に基づいて、素振り棒（１）の重心の位置を決定する。そうすると、短身パイプ（１０）を長身パイプ（９）に１０ｃｍほど嵌め込み、重心を調節して、全長１００．５ｃｍとする。【００３１】  短身パイプ（１０）を長身パイプ（９）に１０ｃｍ嵌め込み、長身パイプ（９）の外側の１０ｃｍの位置に穴を通し溶接する。これによって、長身パイプ（９）と単身パイプ（１０）は連結する。長身パイプ（９）は刀身（２）の部分となり、単身パイプ（１０）は柄（４）の部分となる。【００３２】  更に、小学生から中学生までの剣道修行者であっても、個人の特性に応じて、いろいろである。したがって、これに対応するために、単身パイプ（１０）を長身パイプ（９）に嵌めこむ割合を調節すれば、素振り棒（１）の重心の位置を定めることができる。【００３３】  更に、素振り棒（１）を竹刀に模して刀身（２）の部分と柄（４）の部分との間に鍔（８）を設置し、または、柄（４）の部分の先端となる柄頭（５）の内孔を螺子孔とし、アイボルト（１１）をねじ込むことによって、個人の特性に応じて、素振り棒（１）の重心の位置を定めることができる。【００３４】  最後に、素振り棒（１）は、刀身（２）の部分の先端となる剣先（３）を丸く形成して、空気抵抗を少なくする。また、棒全体の表面を揮発性と速乾性のあるプライマー塗装によって、耐水・耐油処理し、汗ばんだ手で柄（４）の部分を握っても滑りにくいものとする。
【図１】
0003191173.tif 000003
【図２】
0003191173.tif 000004